(57)【要約】      （修正有）【課題】薄型で部品点数，組立工数が少ないスイッチを提供する。【解決手段】上面に平面円形凹所１１を形成し、かつ、前記平面円形凹所１１の内面に中央固定接点１５の両側に、第１，第２切り替え用固定接点１６ａ，１６ｂと、第３，第４切り替え用固定接点１７ａ，１７ｂを配置したベース１０と、基準形態部２３を反復して形成した蛇腹形状を有し、かつ、前記ベース１０の平面円形凹所１１に環状に配置されるバネ体２０と、前記ベース１０の平面円形凹所１１内に回動可能に嵌合される回動部３１を有し、かつ、前記回動部３１の内向面に操作用突部３４を突設した操作体３０と、で構成されている。そして、前記操作体３０を回動することにより、前記操作用突部３４で前記バネ体２０の端部２１，２２を押圧して圧縮させることにより、接点を切り替えることができる。【選択図】図２
2013089367.tif 000002
【特許請求の範囲】
【請求項１】
上面に平面円形凹所を形成し、かつ、前記平面円形凹所の内面に固定接点を配置したベースと、
基準形態部を反復して形成した蛇腹形状を有し、かつ、前記ベースの平面円形凹所に環状に配置されるバネ体と、
前記ベースの平面円形凹所内に回動可能に嵌合される回動部を有し、かつ、前記回動部の内向面に操作用突部を突設した操作体と、からなり、
前記操作体を回動することにより、前記操作用突部で前記バネ体の一端部を押圧して圧縮させることにより、接点を切り替えることを特徴とするスイッチ。
【請求項２】
固定接点を平面円形凹所の内側面に配置したことを特徴とする請求項１に記載のスイッチ。
【請求項３】
固定接点を平面円形凹所の底面に配置したことを特徴とする請求項１または２に記載のスイッチ。
【請求項４】
ベースの内面のうち、バネ体の一端側の伸縮時に前記バネ体と接触可能な位置に第１切り替え用固定接点および第２切り替え用固定接点を並設する一方、前記バネ体の他端側の伸縮時に前記バネ体と接触可能な位置に第３切り替え用固定接点および第４切り替え用固定接点を並設し、前記第１切り替え用固定接点および第３切り替え用固定接点を交互に共通固定接点としたことを特徴とする請求項１ないし３のいずれか１項に記載のスイッチ。
【請求項５】
ベースの内面のうち、バネ体の一端側の伸縮時に前記バネ体と接触可能な位置に第１切り替え用固定接点および中央固定接点を設けるとともに、前記バネ体の他端側の伸縮時に前記バネ体と接触可能な位置に第２切り替え用固定接点および前記中央固定接点を設け、前記第１切り替え用固定接点および第２切り替え用固定接点を交互に共通固定接点としたことを特徴とする請求項１ないし３のいずれか１項に記載のスイッチ。
【請求項６】
バネ体の隣り合う基準形態部のうち、内側に位置する頂部の高さ寸法が異なっていることを特徴とする請求項１ないし５のいずれか１項に記載のスイッチ。
【請求項７】
バネ体の隣り合う基準形態部のうち、少なくとも内側に位置する頂部を直線形状に形成したことを特徴とする請求項１ないし５のいずれか１項に記載のスイッチ。
【請求項８】
バネ体の基準形態部のうち、少なくとも１つの外側の頂部から延在した弾性腕部の先端部を、可動接点としたことを特徴とする請求項１ないし７のいずれか１項に記載のスイッチ。
【請求項９】
操作体の回動部の外周縁部から側方に、前記ベースから突出する操作レバーを延在したことを特徴とする請求項１ないし８のいずれか１項に記載のスイッチ。
【請求項１０】
操作体の回動部の外向面のうち、その中央部に操作用軸部を突設したことを特徴とする請求項１ないし９のいずれか１項に記載のスイッチ。
【請求項１１】
操作体の回動部の外向面のうち、その中央部に操作用凹部を設けたことを特徴とする請求項１ないし１０のいずれか１項に記載のスイッチ。
【発明の詳細な説明】
【技術分野】
【０００１】
本発明はスイッチ、特に、部品点数が少なく、薄型のスイッチに関する。
【背景技術】
【０００２】
従来、スイッチとしては、例えば、円環状の回転軸体と該回転軸体の外周面より突出させた操作体とからなる回転ハンドル体と、装置本体と、可動接触ばねと、１対の固定接点部と、略環状のばね体とを備え、
前記装置本体には前記固定接点部に夫々電気的に接続されている第１、第２のスイッチ端子と、前記可動接触ばねが電気的に接続される共通端子とを備えていることを特徴とするスイッチ装置がある（特許文献１参照）。
【先行技術文献】
【特許文献】
【０００３】
【特許文献１】特開２００４−３６２９７９号公報
【発明の概要】
【発明が解決しようとする課題】
【０００４】
しかしながら、前記スイッチ装置では、略環状のばね体としてコイルバネを使用することが開示されているにすぎず、薄型化に限界がある。また、略環状のばね体のみならず、可動接触ばねを必要とするので、部品点数，組立工数が多いという問題点がある。
本発明は、前記問題点に鑑み、薄型で部品点数，組立工数が少ないスイッチを提供することを課題としている。
【課題を解決するための手段】
【０００５】
本発明に係るスイッチは、前記課題を解決すべく、上面に平面円形凹所を形成し、かつ、前記平面円形凹所の内面に固定接点を配置したベースと、基準形態部を反復して形成した蛇腹形状を有し、かつ、前記ベースの平面円形凹所に環状に配置されるバネ体と、前記ベースの平面円形凹所内に回動可能に嵌合される回動部を有し、かつ、前記回動部の内向面に操作用突部を突設した操作体と、からなり、前記操作体を回動することにより、前記操作用突部で前記バネ体の端部を押圧して圧縮させることにより、接点を切り替える構成としてある。
【発明の効果】
【０００６】
本発明によれば、蛇腹形状のバネ体を環状に配置し、これを圧縮させて接点を切り替えるので、コイルバネを使用する必要がなくなり、薄型のスイッチが得られる。
また、前記バネ体がバネ機能と可動接点機能とを有しているので、別体の可動接点を設ける必要がなく、部品点数，組立工数の少ないスイッチが得られる。
【０００７】
本発明の実施形態としては、固定接点を平面円形凹所の内側面に配置してもよく、および／または、固定接点を平面円形凹所の底面に配置してもよい。
本実施形態によれば、必要に応じて固定接点の配置を変更でき、設計の自由度が大きいスイッチが得られる。
【０００８】
本発明の他の実施形態としては、ベースの内面のうち、バネ体の一端側の伸縮時に前記バネ体と接触可能な位置に第１切り替え用固定接点および第２切り替え用固定接点を並設する一方、前記バネ体の他端側の伸縮時に前記バネ体と接触可能な位置に第３切り替え用固定接点および第４切り替え用固定接点を並設し、前記第１切り替え用固定接点および第３切り替え用固定接点を交互に共通固定接点としてもよい。
また、ベースの内面のうち、バネ体の一端側の伸縮時に前記バネ体と接触可能な位置に第１切り替え用固定接点および中央固定接点を設けるとともに、前記バネ体の他端側の伸縮時に前記バネ体と接触可能な位置に第２切り替え用固定接点および前記中央固定接点を設け、前記第１切り替え用固定接点および第２切り替え用固定接点を交互に共通固定接点としてもよい。
なお、切り替え用固定接点に接触するのは、バネ体の一端部および他端部に限らず、前記バネ体から延在した弾性腕部の先端に位置する可動接点部であってもよいことは勿論である。
本実施形態によれば、操作体の回動方向により、第１，第２切り替え用固定接点が交互に共通固定接点となるので、簡単な構造で薄型の切り替えスイッチが得られる。
【０００９】
本発明の別の実施形態としては、バネ体の隣り合う基準形態部のうち、内側に位置する頂部の高さ寸法が異なっていてもよい。
本実施形態によれば、隣り合う基準形態部の高さ寸法が異なるので、回動する操作体で前記バネ体を圧縮しても、隣り合う基準形態部の頂部同士が相互に衝突することがなく、円滑な操作が可能になり、操作感触の良いスイッチが得られる。
【００１０】
本発明の他の実施形態としては、バネ体の隣り合う基準形態部のうち、少なくとも内側に位置する頂部を直線形状に形成してもよい。
本実施形態によれば、直線形状を含む基準形態部の反復によって形成することにより、設計の自由度がより一層大きいスイッチが得られる。
【００１１】
本発明の異なる実施形態としては、バネ体の基準形態部のうち、少なくとも１つの外側の頂部から延在した弾性腕部の先端部を、可動接点としてもよい。
本実施形態によれば、操作体の操作によってバネ体が外側に展開するように弾性変形しても、その弾性変形を前記弾性腕部が吸収して位置規制するので、所望の接点圧を確保しつつ、スムーズな操作感触が得られる。
【００１２】
本発明の新たな実施形態としては、操作体の回動部の外周縁部から側方に、前記ベースから突出する操作レバーを延在してもよい。
本実施形態によれば、自己復帰する操作レバーを介して接点を切り替えるスイッチが得られる。
【００１３】
本発明の別の実施形態としては、操作体の回動部の外向面のうち、その中央部に操作用軸部を突設しておいてもよい。
本実施形態によれば、例えば、前記操作用軸部をダイヤル等で回動させることにより、手動で接点を開閉できるスイッチが得られる。
【００１４】
操作体の回動部の外向面のうち、その中央部に操作用凹部を設けてもよい。
本実施形態よれば、前記操作用凹部として、例えば、一条溝を設けることによってマイナスドライバーで接点を開閉でき、また、平面６角形の凹部や貫通孔を設けることによって六角レンチや六角形の棒体で接点を開閉できるスイッチを得られるという効果がある。
【図面の簡単な説明】
【００１５】
【図１】図１Ａおよび図１Ｂは本発明に係るスイッチの第１実施形態の斜視図および斜視透視図である。
【図２】図２Ａおよび図２Ｂは図１Ａで図示したスイッチの分解斜視図および異なる角度から視た斜視図である。
【図３】図３Ａはカバーおよび操作レバーを外した状態を示す平面図、図３Ｂ，図３Ｃは動作前後を示す平面透視図である。
【図４】図４Ａは本発明に係るスイッチの第２実施形態を示す平面図、図４Ｂは図４ＡのＢ−Ｂ線断面図、図４Ｃは図４Ａの平面透視図である。
【図５】図５Ａは図４Ａで示したスイッチの斜視図、図５Ｂは異なる角度から視た斜視図である。
【図６】図６Ａおよび図６Ｂは本発明に係るスイッチの第３実施形態の斜視図および斜視透視図である。
【図７】図７Ａおよび図７Ｂは図６Ａで図示したスイッチの分解斜視図および異なる角度から視た斜視図である。
【図８】図８Ａはカバーおよび操作レバーを外した状態を示す平面図、図８Ｂ，図８Ｃは動作前後を示す平面透視図である。
【図９】図９Ａは本発明に係るスイッチの第４実施形態を示し、カバーおよび操作レバーを外した状態を示す平面図であり、図９Ｂおよび図９Ｃは図９Ａで示したバネ体の平面図およびは斜視図である。
【図１０】図１０Ａおよび図１０Ｂは本発明に係るスイッチの第５実施形態に使用されるバネ体の斜視図および平面図である。
【図１１】図１１Ａおよび図１１Ｂは本発明に係るスイッチの第６実施形態に係る斜視図および分解斜視図である。
【図１２】図１２Ａおよび図１２Ｂは本発明に係るスイッチの第７実施形態に係る斜視図および分解斜視図である。
【発明を実施するための形態】
【００１６】
本発明に係るスイッチの実施形態を図１ないし図１２の添付図面に従って説明する。
第１実施形態に係るスイッチは、図１ないし図３に示すように、ベース１０と、バネ体２０と、操作体３０と、カバー４０とで構成されている。
【００１７】
前記ベース１０は、図２に示すように、その上面に設けた平面円形凹所１１の中央に軸孔１２を設けてあるとともに、前記軸孔１２の近傍に位置決め用突部１３を突設してある。また、前記ベース１０の一方側には、後述する操作体３０をガイドするために前記平面円形収納凹所１１に沿って操作用段部１４を形成してある。さらに、前記平面円形収納凹所１１は、その内側面にインサート成形した中央固定接点１５の両側に、第１，第２切り替え用固定接点１６ａ，１６ｂと、第３，第４切り替え用固定接点１７ａ，１７ｂをそれぞれインサート成形してある。
【００１８】
前記バネ体２０は、一定の基準形態部２３を反復させた蛇腹形状であり、その両端部２１，２２は対称形状となっているとともに、前記両端部２１，２２に連続する基準形態部２３は高さ寸法が異なる波形形状を交互に反復している。また、前記基準形態部２３の外向側面のうち、その頂部に断面半円形の摺動突起２４を適宜、側方に突設してある。前記摺動突起２４は前記ベース１０に対する摩擦抵抗を小さくするとともに、電気的接点を確保するために設けられている。さらに、前記バネ体２０は、その断面のアスペクト比が１以上、好ましくは２以上であり、プレス加工で形成してもよく、電気鋳造で形成してもよい。なお、ここでアスペクト比とは、バネ体２０の厚さ寸法と基準形態部２３の幅寸法との比をいう。
そして、前記バネ体２０を前記ベース１０の平面円形凹所１１内に収納することにより、前記摺動突起２４が平面円形凹所１１の内側面に線接触するとともに、その一端部２１および他端部２２は位置決め用突部１３に両側から圧接する。
【００１９】
前記操作体３０は、前記ベース１０の平面円形凹所１１内に嵌合可能な回動部３１を有するとともに、前記回動部３１から操作レバー３２を側方に延在してある。また、前記回動部３１は、その下面中央部に軸部３３を突設するとともに、前記軸部３３の近傍に操作用突部３４を突設してある。
そして、前記操作体３０の軸部３３を前記ベース１０の軸孔１２に嵌合することにより、操作レバー３２が前記ベース１０の操作用段部１４に沿って摺動可能となるとともに、前記操作用突部３４の両側が前記バネ体２０の一端部２１および他端部２２から付勢される。
【００２０】
前記カバー４０は、前記ベース１０を被覆可能な平面形状を有している。そして、前記ベース１０のカシメ用突起１８にカシメ孔４１を嵌合し、前記カシメ用突起１８を溶融させることにより、接合一体化され、前記バネ体２０および前記操作体３０の脱落を防止する。
【００２１】
次に、前述の構成からなるスイッチの動作について説明する。本実施形態に係るスイッチの用途としては、例えば、ＤＶＤカメラのズーム機構においてズーム速度を通常速度から高速に切り替える場合が考えられる。
まず、図３Ｂに示すように、操作体３０の操作レバー３２が操作されていない場合には、一端部２１側近傍の摺動突起２４が第１切り替え用固定接点１６ａに圧接している一方、他端部２２側近傍の摺動突起２４は第３切り替え用固定接点１７ａに圧接している。しかし、中央固定接点１５の近傍に位置する摺動突起２４は前記中央固定接点１５に接触していない。
【００２２】
そして、図３Ｃに示すように、操作体３０の操作レバー３２を操作用段部１４に沿って反時計回りに回動させると、操作用突部３４がバネ体２０の一端部２１を押圧し、前記バネ体２０を圧縮させる。このため、前記一端部２１近傍の摺動突起２４が第１切り替え用固定接点１６ａから第２切り替え用固定接点１６ｂに切り替わる。このとき、前記バネ体２０の他端部２２近傍の摺動突起２４は第３切り替え用固定接点１７ａに接触したままの状態である。このため、バネ体２０を介して第２切り替え用固定接点１６ｂおよび第３切り替え用固定接点１７ａが導通する。このとき、ＤＶＤカメラのレンズは通常速度でズームする。
【００２３】
さらに、前記操作体３０を回動させると、第３切り替え用固定接点１７ａは第２切り替え用固定接点１６ｂに導通したままの状態で、バネ体２０の中央に位置する摺動突起２４が中央固定接点１５に接触し、導通する。このため、ＤＶＤカメラのレンズは通常速度よりも速い高速でズームする。したがって、第３切り替え用固定接点１７ａが共通固定接点として機能することになる。
【００２４】
そして、前記操作体３０の操作力を解除すると、バネ体２０のバネ力で操作体３０が元の状態に自己復帰する。これにより、ＤＶＤカメラのレンズも元に状態に復帰する。
また、前記操作体３０を時計回り方向に回動させた場合も同様に接点が切り替わる。したがって、第１切り替え用固定接点１６ａおよび第３切り替え用固定接点１７ａが交互に共通固定接点として機能する。
【００２５】
本実施形態によれば、バネ体２０の基準形態部２３のうち、反復する波形形状の内側の頂部に交互に凹凸がある。これは、前記操作体３０でバネ体２０を操作した場合に、隣り合う頂部が衝突しないようにするためである。この結果、本実施形態によれば、バネ体２０が圧縮されても、円滑な操作感触を有するスイッチが得られるという利点がある。
【００２６】
第２実施形態に係るスイッチは、図４および図５に示すように、第１実施形態と同様、ベース１０と、バネ体２０と、操作体３０と、カバー４０とで構成されている。
【００２７】
特に、前記ベース１０は、図５に示すように、第１実施形態と同様であり、異なる点は平面円形凹所１１の底面隅部に中央固定接点１５を設けるとともに、前記中央固定接点１５の両側の底面に第１切り替え用固定接点１６ａおよび第２切り替え用固定接点１６ａを設けた点である。
【００２８】
前記バネ体２０も、第１実施形態と同様であり、異なる点は摺動突起２４を側方に突出させるとともに、下方にも突出させた点である。側方に突出させたのは、摺動する場合に生じる摩擦抵抗を小さくするためである。また、下方に突出させたのは、中央固定接点１５，第１切り替え用固定接点１６ａおよび第２切り替え用固定接点１６ｂに確実に接触する可動接点を得るためである。
他は前述の第１実施形態と同様であるので、同一部分に同一番号を附して説明を省略する。
【００２９】
本実施形態によれば、固定接点の配置を平面円形凹所１１の底面に配置できるので、端子設計の自由度が広がり、インサート成形や金型の最適設計が容易になる。特に、ベースの底面に端子をインサート成形するので、機械的強度が増大するという利点がある。
【００３０】
第３実施形態に係るスイッチは、図６ないし図８に示すように、第１実施形態と同様、ベース１０と、バネ体２０と、操作体３０と、カバー４０とで構成されている。
【００３１】
前記ベース１０は、図７に示すように、第１実施形態とほぼ同様であり、異なる点は、ベース１０の平面円形凹所１１の内側面に、第１，第２切り替え用固定接点１６ａ，１６ｂと、第３，第４切り替え用固定接点１７ａ，１７ｂとを左右対称にインサート成形した点である。
【００３２】
また、前記バネ体２０は、第１実施形態と同様、一定の基準形態部２３を反復した蛇腹形状であり、その両端部２１，２２は前記位置決め用突部１３に係止する爪部を備え、かつ、対称形状となっている。また、前記両端部２１，２２に連続する基準形態部２３は同一高さの波形形状を交互に反復している。さらに、前記基準形態部２３の外側側面のうち、前記一端部２１におよび前記他端部２２の近傍に位置する頂部に、円弧状の弾性腕部２５，２６を側方にそれぞれ延在し、その先端部を可動接点部２５ａ，２６ａとしてある。
このため、図８Ａに示すように、前記バネ体２０を前記ベース１０の平面円形凹所１１内に嵌合することにより、前記弾性腕部２５，２６の可動接点２５ａ，２６ａが、第１，第２切り替え用固定接点１６ａ，１６ｂと、第３，第４切り替え用固定接点１７ａ，１７ｂと、にそれぞれ接触可能となる。
なお、前記基準形態部２３は、操作前であれば、前記平面円形凹所１１の内側面に接触しておらず、操作体３０が回動するにつれて前記平面円形凹所１１の内側面に接近し、接触する構成としてもよい。
また、前記弾性腕部は１本でもよく、３本以上であってもよいことは勿論である。
他は前述の第１実施形態と同様であるので、同一部分に同一番号を附して説明を省略する。
【００３３】
次に、前述の構成からなるスイッチの動作について説明する。
まず、図８Ｂに示すように、操作体３０の操作レバー３２が操作されていない場合には、可動接点２５ａが第１切り替え用固定接点１６ａに圧接している一方、可動接点２６ａが第３切り替え用固定接点１７ａに圧接している。
【００３４】
そして、図８Ｃに示すように、操作体３０の操作レバー３２を操作用段部１４に沿って反時計回りに回動させると、操作用突部３４がバネ体２０の一端部２１を押圧し、前記バネ体２０を圧縮する。このため、前記可動接点２５ａが第１切り替え用固定接点１６ａから第２切り替え用固定接点１６ｂに切り替わる。このとき、前記バネ体２０の可動接点２６ａは第３切り替え用固定接点１７ａに接触したままの状態である。この結果、前記バネ体２０を介して第２切り替え用固定接点１６ａおよび第３切り替え用固定接点１７ａが導通する。さらに、前記操作体３０の操作力を解除すると、バネ体２０のバネ力で元の状態に自己復帰する。
また、前記操作体３０を時計回り方向に回動させた場合も同様に接点が切り替わる。
【００３５】
本実施形態によれば、バネ体２０に弾性腕部２５，２６を設けてあるので、操作体３０の操作によってバネ体２０が展開するように弾性変形しても、その弾性変形を前記弾性腕部２５，２６が弾性変形して位置規制する。このため、本実施形態によれば、所望の接点圧を確保しつつ、スムーズな操作感触が得られるという利点がある。
【００３６】
第４実施形態に係るスイッチは、図９に示すように、前述の実施形態と同様であり、異なる点は、バネ体２０の基準形態部２３のうち、内側の頂部を直線形状とした点である。
また、本実施形態よれば、内側の頂部を直線形状としてあるので、単純な形状となり、設計しやすいとともに、設計の自由度が広がる。
さらに、第１，第３切り替え用固定接点１６ａ，１７ａが共通固定接点として機能するという利点がある。
他は前述の第１実施形態と同様であるので、同一部分には同一番号を附して説明を省略する。
【００３７】
第５実施形態に係るスイッチは、図１０に示すように、前述の第１実施形態と同様であり、異なる点は、バネ体２０の形状である。
すなわち、前記バネ体２０の基準形態部２３は直線を基調するパターンを反復させて蛇腹形状とするとともに、その一端部２１およびその他端部２２近傍の頂部から円弧状の弾性腕部２５，２６を延在した点である。
他は前述の第１実施形態と同様であるので、同一部分には同一番号を附して説明を省略する。
【００３８】
本実施形態よれば、設計の自由度が広がるという利点がある。
【００３９】
第６実施形態に係るスイッチは、図１１に示すように、前述の第１実施形態とほぼ同様であり、異なる点は操作体３０の回動部３１の外向面のうち、その中央部に前記カバー４０の操作孔４２から突出する操作用軸部３５を突設した点である。前記操作軸部３の先端面には、図示しないマイナスドライバーで操作できる一条溝３６を設けてある。
他は前述の第１実施形態とほぼ同様であるので、同一部分には同一番号を附して説明を省略する。
【００４０】
本実施形態によれば、操作体の操作方法の選択範囲が広がり、用途が広がるという利点がある。
【００４１】
第７実施形態に係るスイッチは、図１２に示すように、前述の第１実施形態とほぼ同様であり、異なる点は操作体３０の回動部３１の外向面のうち、その中央部に前記カバー４０の操作孔４２から操作可能な平面六角凹部３７を設けた点である。前記平面六角凹部３７に図示しない六角レンチを挿入して操作できる。なお、平面六角凹部３７は単なる窪み形状のものに限らず、貫通孔をも含むものである。
他は前述の第１実施形態とほぼ同様であるので、同一部分には同一番号を附して説明を省略する。
【００４２】
本実施形態によれば、操作体の操作方法の選択範囲が広がり、用途が広がるという利点がある。
【００４３】
なお、本願発明に係るバネ体２０の基準形態部２３の蛇腹形状とは、同一パターンを反復して繰り替えして形成した形状を意味し、単なる波形形状だけを反復して構成した形状だけを意味するものでない。
また、ベース１０に組み込む前の自由状態においてバネ体は直線形状であってもよく、ベースに組み込む前の自由状態においてバネ体は円弧形状を有していてもよい。
さらに、固定接点は平面円形凹所の内側面および／または底面に適宜配置してもよいことは勿論である。
そして、前記基準形態部は前述の実施形態のように単なる略Ｕ字形状である必要はなく、必要に応じて種々の形状を選択できることは勿論である。
【産業上の利用可能性】
【００４４】
本願発明に係るスイッチは前述の形状に限らず、他の蛇腹形状のバネ体を備えたスイッチであってもよいことは勿論である。
【符号の説明】
【００４５】
１０：ベース
１１：平面円形凹所
１２：軸孔
１３：位置決め用突部
１４：操作用段部
１５：中央固定接点
１６ａ，１６ｂ：第１，第２切り替え用固定接点
１７ａ，１７ｂ：第３，第４切り替え用固定接点
１８：カシメ用突起
２０：バネ体
２１：一端部
２２：他端部
２３：基準形態部
２４：摺動突起
２５，２６：弾性腕部
２５ａ，２６ａ：可動接点
３０：操作体
３１：回動部
３２：操作レバー
３３：軸部
３４：操作用突部
３５：操作用軸部
３７：操作用凹部
４０：カバー
４１：カシメ孔
４２：操作孔
【図１】
2013089367.tif 000003
【図２】
2013089367.tif 000004
【図３】
2013089367.tif 000005
【図４】
2013089367.tif 000006
【図５】
2013089367.tif 000007
【図６】
2013089367.tif 000008
【図７】
2013089367.tif 000009
【図８】
2013089367.tif 000010
【図９】
2013089367.tif 000011
【図１０】
2013089367.tif 000012
【図１１】
2013089367.tif 000013
【図１２】
2013089367.tif 000014
【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
上面に平面円形凹所を形成し、かつ、前記平面円形凹所の内面に固定接点を配置したベースと、
基準形態部を反復して形成した蛇腹形状を有し、かつ、前記ベースの平面円形凹所に環状に配置されるバネ体と、
前記ベースの平面円形凹所内に回動可能に嵌合される回動部を有し、かつ、前記回動部の内向面に操作用突部を突設した操作体と、からなり、
前記ベースの内面のうち、前記バネ体の一端側の伸縮時に前記バネ体と接触可能な位置に第１切り替え用固定接点および第２切り替え用固定接点を並設する一方、前記バネ体の他端側の伸縮時に前記バネ体と接触可能な位置に第３切り替え用固定接点および第４切り替え用固定接点を並設し、前記第１切り替え用固定接点および第３切り替え用固定接点を交互に共通固定接点とし、
前記操作体を回動することにより、前記操作用突部で前記バネ体の一端部を押圧して圧縮させることにより、接点を切り替えることを特徴とするスイッチ。
【請求項２】
上面に平面円形凹所を形成し、かつ、前記平面円形凹所の内面に固定接点を配置したベースと、
基準形態部を反復して形成した蛇腹形状を有し、かつ、前記ベースの平面円形凹所に環状に配置されるバネ体と、
前記ベースの平面円形凹所内に回動可能に嵌合される回動部を有し、かつ、前記回動部の内向面に操作用突部を突設した操作体と、からなり、
前記ベースの内面のうち、前記バネ体の一端側の伸縮時に前記バネ体と接触可能な位置に第１切り替え用固定接点および中央固定接点を設けるとともに、前記バネ体の他端側の伸縮時に前記バネ体と接触可能な位置に第２切り替え用固定接点および前記中央固定接点を設け、前記第１切り替え用固定接点および第２切り替え用固定接点を交互に共通固定接点とし、
前記操作体を回動することにより、前記操作用突部で前記バネ体の一端部を押圧して圧縮させることにより、接点を切り替えることを特徴とするスイッチ。
【請求項３】
固定接点を平面円形凹所の内側面に配置したことを特徴とする請求項１または２に記載のスイッチ。
【請求項４】
固定接点を平面円形凹所の底面に配置したことを特徴とする請求項１ないし３のいずれか１項に記載のスイッチ。
【請求項５】
バネ体の隣り合う基準形態部のうち、内側に位置する頂部の高さ寸法が異なっていることを特徴とする請求項１ないし４のいずれか１項に記載のスイッチ。
【請求項６】
バネ体の隣り合う基準形態部のうち、少なくとも内側に位置する頂部を直線形状に形成したことを特徴とする請求項１ないし５のいずれか１項に記載のスイッチ。
【請求項７】
バネ体の基準形態部のうち、少なくとも１つの外側の頂部から延在した弾性腕部の先端部を、可動接点としたことを特徴とする請求項１ないし６のいずれか１項に記載のスイッチ。
【請求項８】
操作体の回動部の外周縁部から側方に、前記ベースから突出する操作レバーを延在したことを特徴とする請求項１ないし７のいずれか１項に記載のスイッチ。
【請求項９】
操作体の回動部の外向面のうち、その中央部に操作用軸部を突設したことを特徴とする請求項１ないし７のいずれか１項に記載のスイッチ。
【請求項１０】
操作体の回動部の外向面のうち、その中央部に操作用凹部を設けたことを特徴とする請求項１ないし７のいずれか１項に記載のスイッチ。
【手続補正２】
【補正対象書類名】明細書
【補正対象項目名】全文
【補正方法】変更
【補正の内容】
【発明の詳細な説明】
【技術分野】
【０００１】
本発明はスイッチ、特に、部品点数が少なく、薄型のスイッチに関する。
【背景技術】
【０００２】
従来、スイッチとしては、例えば、円環状の回転軸体と該回転軸体の外周面より突出させた操作体とからなる回転ハンドル体と、装置本体と、可動接触ばねと、１対の固定接点部と、略環状のばね体とを備え、
前記装置本体には前記固定接点部に夫々電気的に接続されている第１、第２のスイッチ端子と、前記可動接触ばねが電気的に接続される共通端子とを備えていることを特徴とするスイッチ装置がある（特許文献１参照）。
【先行技術文献】
【特許文献】
【０００３】
【特許文献１】特開２００４−３６２９７９号公報
【発明の概要】
【発明が解決しようとする課題】
【０００４】
しかしながら、前記スイッチ装置では、略環状のばね体としてコイルバネを使用することが開示されているにすぎず、薄型化に限界がある。また、略環状のばね体のみならず、可動接触ばねを必要とするので、部品点数，組立工数が多いという問題点がある。
本発明は、前記問題点に鑑み、薄型で部品点数，組立工数が少ないスイッチを提供することを課題としている。
【課題を解決するための手段】
【０００５】
本発明に係るスイッチは、前記課題を解決すべく、上面に平面円形凹所を形成し、かつ、前記平面円形凹所の内面に固定接点を配置したベースと、基準形態部を反復して形成した蛇腹形状を有し、かつ、前記ベースの平面円形凹所に環状に配置されるバネ体と、前記ベースの平面円形凹所内に回動可能に嵌合される回動部を有し、かつ、前記回動部の内向面に操作用突部を突設した操作体と、からなり、前記ベースの内面のうち、前記バネ体の一端側の伸縮時に前記バネ体と接触可能な位置に第１切り替え用固定接点および第２切り替え用固定接点を並設する一方、前記バネ体の他端側の伸縮時に前記バネ体と接触可能な位置に第３切り替え用固定接点および第４切り替え用固定接点を並設し、前記第１切り替え用固定接点および第３切り替え用固定接点を交互に共通固定接点とし、前記操作体を回動することにより、前記操作用突部で前記バネ体の一端部を押圧して圧縮させることにより、接点を切り替える構成としてある。
また、本発明に係る他のスイッチとしては、前記課題を解決すべく、上面に平面円形凹所を形成し、かつ、前記平面円形凹所の内面に固定接点を配置したベースと、基準形態部を反復して形成した蛇腹形状を有し、かつ、前記ベースの平面円形凹所に環状に配置されるバネ体と、前記ベースの平面円形凹所内に回動可能に嵌合される回動部を有し、かつ、前記回動部の内向面に操作用突部を突設した操作体と、からなり、前記ベースの内面のうち、前記バネ体の一端側の伸縮時に前記バネ体と接触可能な位置に第１切り替え用固定接点および中央固定接点を設けるとともに、前記バネ体の他端側の伸縮時に前記バネ体と接触可能な位置に第２切り替え用固定接点および前記中央固定接点を設け、前記第１切り替え用固定接点および第２切り替え用固定接点を交互に共通固定接点とし、前記操作体を回動することにより、前記操作用突部で前記バネ体の一端部を押圧して圧縮させることにより、接点を切り替える構成としてもよい。
【０００６】
なお、切り替え用固定接点に接触するのは、バネ体の一端部および他端部に限らず、前記バネ体から延在した弾性腕部の先端に位置する可動接点部であってもよいことは勿論である。
【発明の効果】
【０００７】
本発明によれば、蛇腹形状のバネ体を環状に配置し、これを圧縮させて接点を切り替えるので、コイルバネを使用する必要がなくなり、薄型のスイッチが得られる。
また、前記バネ体がバネ機能と可動接点機能とを有しているので、別体の可動接点を設ける必要がなく、部品点数，組立工数の少ないスイッチが得られる。
さらに、本発明によれば、操作体の回動方向により、第１，第３切り替え用固定接点あるいは第１，第２切り替え用固定接点が交互に共通固定接点となるので、簡単な構造で薄型の切り替えスイッチが得られる。
【０００８】
本発明の実施形態としては、固定接点を平面円形凹所の内側面に配置してもよく、および／または、固定接点を平面円形凹所の底面に配置してもよい。
本実施形態によれば、必要に応じて固定接点の配置を変更でき、設計の自由度が大きいスイッチが得られる。
【０００９】
本発明の別の実施形態としては、バネ体の隣り合う基準形態部のうち、内側に位置する頂部の高さ寸法が異なっていてもよい。
本実施形態によれば、隣り合う基準形態部の高さ寸法が異なるので、回動する操作体で前記バネ体を圧縮しても、隣り合う基準形態部の頂部同士が相互に衝突することがなく、円滑な操作が可能になり、操作感触の良いスイッチが得られる。
【００１０】
本発明の他の実施形態としては、バネ体の隣り合う基準形態部のうち、少なくとも内側に位置する頂部を直線形状に形成してもよい。
本実施形態によれば、直線形状を含む基準形態部の反復によって形成することにより、設計の自由度がより一層大きいスイッチが得られる。
【００１１】
本発明の異なる実施形態としては、バネ体の基準形態部のうち、少なくとも１つの外側の頂部から延在した弾性腕部の先端部を、可動接点としてもよい。
本実施形態によれば、操作体の操作によってバネ体が外側に展開するように弾性変形しても、その弾性変形を前記弾性腕部が吸収して位置規制するので、所望の接点圧を確保しつつ、スムーズな操作感触が得られる。
【００１２】
本発明の新たな実施形態としては、操作体の回動部の外周縁部から側方に、前記ベースから突出する操作レバーを延在してもよい。
本実施形態によれば、自己復帰する操作レバーを介して接点を切り替えるスイッチが得られる。
【００１３】
本発明の別の実施形態としては、操作体の回動部の外向面のうち、その中央部に操作用軸部を突設しておいてもよい。
本実施形態によれば、例えば、前記操作用軸部をダイヤル等で回動させることにより、手動で接点を開閉できるスイッチが得られる。
【００１４】
操作体の回動部の外向面のうち、その中央部に操作用凹部を設けてもよい。
本実施形態よれば、前記操作用凹部として、例えば、一条溝を設けることによってマイナスドライバーで接点を開閉でき、また、平面６角形の凹部や貫通孔を設けることによって六角レンチや六角形の棒体で接点を開閉できるスイッチを得られるという効果がある。
【図面の簡単な説明】
【００１５】
【図１】図１Ａおよび図１Ｂは本発明に係るスイッチの第１実施形態の斜視図および斜視透視図である。
【図２】図２Ａおよび図２Ｂは図１Ａで図示したスイッチの分解斜視図および異なる角度から視た斜視図である。
【図３】図３Ａはカバーおよび操作レバーを外した状態を示す平面図、図３Ｂ，図３Ｃは動作前後を示す平面透視図である。
【図４】図４Ａは本発明に係るスイッチの第２実施形態を示す平面図、図４Ｂは図４ＡのＢ−Ｂ線断面図、図４Ｃは図４Ａの平面透視図である。
【図５】図５Ａは図４Ａで示したスイッチの斜視図、図５Ｂは異なる角度から視た斜視図である。
【図６】図６Ａおよび図６Ｂは本発明に係るスイッチの第３実施形態の斜視図および斜視透視図である。
【図７】図７Ａおよび図７Ｂは図６Ａで図示したスイッチの分解斜視図および異なる角度から視た斜視図である。
【図８】図８Ａはカバーおよび操作レバーを外した状態を示す平面図、図８Ｂ，図８Ｃは動作前後を示す平面透視図である。
【図９】図９Ａは本発明に係るスイッチの第４実施形態を示し、カバーおよび操作レバーを外した状態を示す平面図であり、図９Ｂおよび図９Ｃは図９Ａで示したバネ体の平面図およびは斜視図である。
【図１０】図１０Ａおよび図１０Ｂは本発明に係るスイッチの第５実施形態に使用されるバネ体の斜視図および平面図である。
【図１１】図１１Ａおよび図１１Ｂは本発明に係るスイッチの第６実施形態に係る斜視図および分解斜視図である。
【図１２】図１２Ａおよび図１２Ｂは本発明に係るスイッチの第７実施形態に係る斜視図および分解斜視図である。
【発明を実施するための形態】
【００１６】
本発明に係るスイッチの実施形態を図１ないし図１２の添付図面に従って説明する。
第１実施形態に係るスイッチは、図１ないし図３に示すように、ベース１０と、バネ体２０と、操作体３０と、カバー４０とで構成されている。
【００１７】
前記ベース１０は、図２に示すように、その上面に設けた平面円形凹所１１の中央に軸孔１２を設けてあるとともに、前記軸孔１２の近傍に位置決め用突部１３を突設してある。また、前記ベース１０の一方側には、後述する操作体３０をガイドするために前記平面円形収納凹所１１に沿って操作用段部１４を形成してある。さらに、前記平面円形収納凹所１１は、その内側面にインサート成形した中央固定接点１５の両側に、第１，第２切り替え用固定接点１６ａ，１６ｂと、第３，第４切り替え用固定接点１７ａ，１７ｂをそれぞれインサート成形してある。
【００１８】
前記バネ体２０は、一定の基準形態部２３を反復させた蛇腹形状であり、その両端部２１，２２は対称形状となっているとともに、前記両端部２１，２２に連続する基準形態部２３は高さ寸法が異なる波形形状を交互に反復している。また、前記基準形態部２３の外向側面のうち、その頂部に断面半円形の摺動突起２４を適宜、側方に突設してある。前記摺動突起２４は前記ベース１０に対する摩擦抵抗を小さくするとともに、電気的接点を確保するために設けられている。さらに、前記バネ体２０は、その断面のアスペクト比が１以上、好ましくは２以上であり、プレス加工で形成してもよく、電気鋳造で形成してもよい。なお、ここでアスペクト比とは、バネ体２０の厚さ寸法と基準形態部２３の幅寸法との比をいう。
そして、前記バネ体２０を前記ベース１０の平面円形凹所１１内に収納することにより、前記摺動突起２４が平面円形凹所１１の内側面に線接触するとともに、その一端部２１および他端部２２は位置決め用突部１３に両側から圧接する。
【００１９】
前記操作体３０は、前記ベース１０の平面円形凹所１１内に嵌合可能な回動部３１を有するとともに、前記回動部３１から操作レバー３２を側方に延在してある。また、前記回動部３１は、その下面中央部に軸部３３を突設するとともに、前記軸部３３の近傍に操作用突部３４を突設してある。
そして、前記操作体３０の軸部３３を前記ベース１０の軸孔１２に嵌合することにより、操作レバー３２が前記ベース１０の操作用段部１４に沿って摺動可能となるとともに、前記操作用突部３４の両側が前記バネ体２０の一端部２１および他端部２２から付勢される。
【００２０】
前記カバー４０は、前記ベース１０を被覆可能な平面形状を有している。そして、前記ベース１０のカシメ用突起１８にカシメ孔４１を嵌合し、前記カシメ用突起１８を溶融させることにより、接合一体化され、前記バネ体２０および前記操作体３０の脱落を防止する。
【００２１】
次に、前述の構成からなるスイッチの動作について説明する。本実施形態に係るスイッチの用途としては、例えば、ＤＶＤカメラのズーム機構においてズーム速度を通常速度から高速に切り替える場合が考えられる。
まず、図３Ｂに示すように、操作体３０の操作レバー３２が操作されていない場合には、一端部２１側近傍の摺動突起２４が第１切り替え用固定接点１６ａに圧接している一方、他端部２２側近傍の摺動突起２４は第３切り替え用固定接点１７ａに圧接している。しかし、中央固定接点１５の近傍に位置する摺動突起２４は前記中央固定接点１５に接触していない。
【００２２】
そして、図３Ｃに示すように、操作体３０の操作レバー３２を操作用段部１４に沿って反時計回りに回動させると、操作用突部３４がバネ体２０の一端部２１を押圧し、前記バネ体２０を圧縮させる。このため、前記一端部２１近傍の摺動突起２４が第１切り替え用固定接点１６ａから第２切り替え用固定接点１６ｂに切り替わる。このとき、前記バネ体２０の他端部２２近傍の摺動突起２４は第３切り替え用固定接点１７ａに接触したままの状態である。このため、バネ体２０を介して第２切り替え用固定接点１６ｂおよび第３切り替え用固定接点１７ａが導通する。このとき、ＤＶＤカメラのレンズは通常速度でズームする。
【００２３】
さらに、前記操作体３０を回動させると、第３切り替え用固定接点１７ａは第２切り替え用固定接点１６ｂに導通したままの状態で、バネ体２０の中央に位置する摺動突起２４が中央固定接点１５に接触し、導通する。このため、ＤＶＤカメラのレンズは通常速度よりも速い高速でズームする。したがって、第３切り替え用固定接点１７ａが共通固定接点として機能することになる。
【００２４】
そして、前記操作体３０の操作力を解除すると、バネ体２０のバネ力で操作体３０が元の状態に自己復帰する。これにより、ＤＶＤカメラのレンズも元に状態に復帰する。
また、前記操作体３０を時計回り方向に回動させた場合も同様に接点が切り替わる。したがって、第１切り替え用固定接点１６ａおよび第３切り替え用固定接点１７ａが交互に共通固定接点として機能する。
【００２５】
本実施形態によれば、バネ体２０の基準形態部２３のうち、反復する波形形状の内側の頂部に交互に凹凸がある。これは、前記操作体３０でバネ体２０を操作した場合に、隣り合う頂部が衝突しないようにするためである。この結果、本実施形態によれば、バネ体２０が圧縮されても、円滑な操作感触を有するスイッチが得られるという利点がある。
【００２６】
第２実施形態に係るスイッチは、図４および図５に示すように、第１実施形態と同様、ベース１０と、バネ体２０と、操作体３０と、カバー４０とで構成されている。
【００２７】
特に、前記ベース１０は、図５に示すように、第１実施形態と同様であり、異なる点は平面円形凹所１１の底面隅部に中央固定接点１５を設けるとともに、前記中央固定接点１５の両側の底面に第１切り替え用固定接点１６ａおよび第２切り替え用固定接点１６ａを設けた点である。
【００２８】
前記バネ体２０も、第１実施形態と同様であり、異なる点は摺動突起２４を側方に突出させるとともに、下方にも突出させた点である。側方に突出させたのは、摺動する場合に生じる摩擦抵抗を小さくするためである。また、下方に突出させたのは、中央固定接点１５，第１切り替え用固定接点１６ａおよび第２切り替え用固定接点１６ｂに確実に接触する可動接点を得るためである。
他は前述の第１実施形態と同様であるので、同一部分に同一番号を附して説明を省略する。
【００２９】
本実施形態によれば、固定接点の配置を平面円形凹所１１の底面に配置できるので、端子設計の自由度が広がり、インサート成形や金型の最適設計が容易になる。特に、ベースの底面に端子をインサート成形するので、機械的強度が増大するという利点がある。
【００３０】
第３実施形態に係るスイッチは、図６ないし図８に示すように、第１実施形態と同様、ベース１０と、バネ体２０と、操作体３０と、カバー４０とで構成されている。
【００３１】
前記ベース１０は、図７に示すように、第１実施形態とほぼ同様であり、異なる点は、ベース１０の平面円形凹所１１の内側面に、第１，第２切り替え用固定接点１６ａ，１６ｂと、第３，第４切り替え用固定接点１７ａ，１７ｂとを左右対称にインサート成形した点である。
【００３２】
また、前記バネ体２０は、第１実施形態と同様、一定の基準形態部２３を反復した蛇腹形状であり、その両端部２１，２２は前記位置決め用突部１３に係止する爪部を備え、かつ、対称形状となっている。また、前記両端部２１，２２に連続する基準形態部２３は同一高さの波形形状を交互に反復している。さらに、前記基準形態部２３の外側側面のうち、前記一端部２１におよび前記他端部２２の近傍に位置する頂部に、円弧状の弾性腕部２５，２６を側方にそれぞれ延在し、その先端部を可動接点部２５ａ，２６ａとしてある。
このため、図８Ａに示すように、前記バネ体２０を前記ベース１０の平面円形凹所１１内に嵌合することにより、前記弾性腕部２５，２６の可動接点２５ａ，２６ａが、第１，第２切り替え用固定接点１６ａ，１６ｂと、第３，第４切り替え用固定接点１７ａ，１７ｂと、にそれぞれ接触可能となる。
なお、前記基準形態部２３は、操作前であれば、前記平面円形凹所１１の内側面に接触しておらず、操作体３０が回動するにつれて前記平面円形凹所１１の内側面に接近し、接触する構成としてもよい。
また、前記弾性腕部は１本でもよく、３本以上であってもよいことは勿論である。
他は前述の第１実施形態と同様であるので、同一部分に同一番号を附して説明を省略する。
【００３３】
次に、前述の構成からなるスイッチの動作について説明する。
まず、図８Ｂに示すように、操作体３０の操作レバー３２が操作されていない場合には、可動接点２５ａが第１切り替え用固定接点１６ａに圧接している一方、可動接点２６ａが第３切り替え用固定接点１７ａに圧接している。
【００３４】
そして、図８Ｃに示すように、操作体３０の操作レバー３２を操作用段部１４に沿って反時計回りに回動させると、操作用突部３４がバネ体２０の一端部２１を押圧し、前記バネ体２０を圧縮する。このため、前記可動接点２５ａが第１切り替え用固定接点１６ａから第２切り替え用固定接点１６ｂに切り替わる。このとき、前記バネ体２０の可動接点２６ａは第３切り替え用固定接点１７ａに接触したままの状態である。この結果、前記バネ体２０を介して第２切り替え用固定接点１６ａおよび第３切り替え用固定接点１７ａが導通する。さらに、前記操作体３０の操作力を解除すると、バネ体２０のバネ力で元の状態に自己復帰する。
また、前記操作体３０を時計回り方向に回動させた場合も同様に接点が切り替わる。
【００３５】
本実施形態によれば、バネ体２０に弾性腕部２５，２６を設けてあるので、操作体３０の操作によってバネ体２０が展開するように弾性変形しても、その弾性変形を前記弾性腕部２５，２６が弾性変形して位置規制する。このため、本実施形態によれば、所望の接点圧を確保しつつ、スムーズな操作感触が得られるという利点がある。
【００３６】
第４実施形態に係るスイッチは、図９に示すように、前述の実施形態と同様であり、異なる点は、バネ体２０の基準形態部２３のうち、内側の頂部を直線形状とした点である。
また、本実施形態よれば、内側の頂部を直線形状としてあるので、単純な形状となり、設計しやすいとともに、設計の自由度が広がる。
さらに、第１，第３切り替え用固定接点１６ａ，１７ａが共通固定接点として機能するという利点がある。
他は前述の第１実施形態と同様であるので、同一部分には同一番号を附して説明を省略する。
【００３７】
第５実施形態に係るスイッチは、図１０に示すように、前述の第１実施形態と同様であり、異なる点は、バネ体２０の形状である。
すなわち、前記バネ体２０の基準形態部２３は直線を基調するパターンを反復させて蛇腹形状とするとともに、その一端部２１およびその他端部２２近傍の頂部から円弧状の弾性腕部２５，２６を延在した点である。
他は前述の第１実施形態と同様であるので、同一部分には同一番号を附して説明を省略する。
【００３８】
本実施形態よれば、設計の自由度が広がるという利点がある。
【００３９】
第６実施形態に係るスイッチは、図１１に示すように、前述の第１実施形態とほぼ同様であり、異なる点は操作体３０の回動部３１の外向面のうち、その中央部に前記カバー４０の操作孔４２から突出する操作用軸部３５を突設した点である。前記操作軸部３の先端面には、図示しないマイナスドライバーで操作できる一条溝３６を設けてある。
他は前述の第１実施形態とほぼ同様であるので、同一部分には同一番号を附して説明を省略する。
【００４０】
本実施形態によれば、操作体の操作方法の選択範囲が広がり、用途が広がるという利点がある。
【００４１】
第７実施形態に係るスイッチは、図１２に示すように、前述の第１実施形態とほぼ同様であり、異なる点は操作体３０の回動部３１の外向面のうち、その中央部に前記カバー４０の操作孔４２から操作可能な平面六角凹部３７を設けた点である。前記平面六角凹部３７に図示しない六角レンチを挿入して操作できる。なお、平面六角凹部３７は単なる窪み形状のものに限らず、貫通孔をも含むものである。
他は前述の第１実施形態とほぼ同様であるので、同一部分には同一番号を附して説明を省略する。
【００４２】
本実施形態によれば、操作体の操作方法の選択範囲が広がり、用途が広がるという利点がある。
【００４３】
なお、本願発明に係るバネ体２０の基準形態部２３の蛇腹形状とは、同一パターンを反復して繰り替えして形成した形状を意味し、単なる波形形状だけを反復して構成した形状だけを意味するものでない。
また、ベース１０に組み込む前の自由状態においてバネ体は直線形状であってもよく、ベースに組み込む前の自由状態においてバネ体は円弧形状を有していてもよい。
さらに、固定接点は平面円形凹所の内側面および／または底面に適宜配置してもよいことは勿論である。
そして、前記基準形態部は前述の実施形態のように単なる略Ｕ字形状である必要はなく、必要に応じて種々の形状を選択できることは勿論である。
【産業上の利用可能性】
【００４４】
本願発明に係るスイッチは前述の形状に限らず、他の蛇腹形状のバネ体を備えたスイッチであってもよいことは勿論である。
【符号の説明】
【００４５】
１０：ベース
１１：平面円形凹所
１２：軸孔
１３：位置決め用突部
１４：操作用段部
１５：中央固定接点
１６ａ，１６ｂ：第１，第２切り替え用固定接点
１７ａ，１７ｂ：第３，第４切り替え用固定接点
１８：カシメ用突起
２０：バネ体
２１：一端部
２２：他端部
２３：基準形態部
２４：摺動突起
２５，２６：弾性腕部
２５ａ，２６ａ：可動接点
３０：操作体
３１：回動部
３２：操作レバー
３３：軸部
３４：操作用突部
３５：操作用軸部
３７：操作用凹部
４０：カバー
４１：カシメ孔
４２：操作孔